(57)【要約】【課題】防水扉を収納凹部体と干渉なしに起倒でき、起立状態の防水扉の基部を確実にパッキン部材に圧着できる簡易な防水扉装置を提供することである。【解決手段】防水扉３の基部３ｂ側下面にカム溝３２を設けた可動枢支部材１３を設け、収納凹部体２にカムピン３１を設けた固定枢支部材１０を設け、カムピン３１をカム溝３２に摺動可能に嵌合する。防水扉３の起倒動作によりカムピン３１がカム溝３２に相対的に案内され、防水扉３の起立初期には基部３ｂを収納凹部体２の前板２ｂから遠ざけて収納凹部体２との干渉を防ぎ、起立終期には基部３ｂを前板２ｂに近づくように移動させて、基部３ｂをパッキン部材６，８に確実に圧着するようにした。【選択図】  図８
2005002749.tif 000002
【特許請求の範囲】
【請求項１】
構造物の水侵入可能な通路部下面に設置する収納凹部体と収納凹部体の開口を塞ぐ防水扉を備え、収納凹部体に防水扉の基部を枢着し、収納凹部体内に設けた起倒装置により防水扉を傾倒位置から起立位置に回動させ、起立状態の防水扉をパッキン部材に当接させ水侵入を防止するようにした防水扉装置において、防水扉の基部側下面に可動枢支部材を設け、収納凹部体の防水扉基部側位置に固定枢支部材を設け、可動枢支部材に枢支リンクの上部を上枢軸を介して連結し、その枢支リンクの下部を固定枢支部材に下枢軸を介して連結し、固定枢支部材と可動枢支部材の一方にカムピンを固着すると共に他方にそのカムピンが嵌合するカム溝を設け、そのカム溝の形状を防水扉起倒によりカムピンを案内して上枢軸を起立初期に防水扉先端側へ移動させ起立終期に防水扉基部側へ移動させて防水扉をパッキン部材に押圧するように設定した防水扉装置。
【請求項２】
固定枢支部材には上枢軸の防水扉先端側横方向位置にカムピンを固着し、可動枢支部材にはそのカムピンが嵌合するカム溝を設け、そのカム溝の形状を防水扉傾倒状態において上枢軸の下方向位置から横方向位置に向かって上枢軸に近づく略直線状に設定し、防水扉の起立によりカムピンを案内して上枢軸を起立初期に防水扉先端側へ移動させ起立終期に防水扉基部側へ移動させて防水扉をパッキン部材に押圧するようにした請求項１記載の防水扉装置。
【請求項３】
可動枢支部材には上枢軸の下方位置にカムピンを固着し、固定枢支部材にはそのカムピンが嵌合するカム溝を設け、そのカム溝の形状を防水扉傾倒状態において上枢軸の下方位置から上枢軸の防水扉先端側横方向位置に向かって途中が上枢軸から遠ざかり最終部分で斜め上向きとなって上枢軸に徐々に近づく湾曲線状に設定し、防水扉の起立によりカムピンを案内して上枢軸を起立初期に防水扉先端側へ移動させ起立終期に防水扉基部側へ移動させて防水扉をパッキン部材に押圧するようにした請求項１記載の防水扉装置。
【発明の詳細な説明】
【０００１】
【発明の属する技術分野】
本発明は、主に建物や駐車場等の出入口からの浸水を防止する防水扉装置に関する。
【０００２】
【従来の技術】
従来から建物や駐車場等の構造物の出入口の通路には、水害時に浸水を防止するために防水扉装置が備えられており、防水扉を起倒装置により通路部下面に設置した収納凹部体の開口を塞ぐ通常の傾倒位置から浸水防止時に起立位置として水浸入を防止するようになっている。
【０００３】
特許文献１に記載のものでは、防水扉の基部側が蝶番により枢動自在に支持されており、その蝶番は、固定側プレートの頂部のガイドピンを防水扉の可動側プレート（枢支部）の屈曲ガイド溝孔に挿入し、固定側プレートの下部と可動側プレートの上部とをリンクで連結してある。扉開閉機構による防水扉の起立時には、ガイドピンが屈曲ガイド溝孔に案内されつつ枢動されて、防水扉の可動側プレートが起立初期に防水扉の先端側（後方側）へ移動されて収納凹部体の防水扉基部側壁面から後退した後、起立終期に起倒装置に押されて収納凹部体の防水扉基部側壁面に近づき防水扉がパッキン部材に圧着する。特許文献２に記載のものでは、防水扉は、その基部側がヒンジ装置により枢支されており、そのヒンジ装置は、固定ベースに設けたフック状のガイド孔に防水扉に設けた可動ベース（枢支部）の下端部のガイドロッドを係合し、固定ベース下方と可動ベース上部とをリンクで連結して構成されている。起立初期には、防水扉はガイドロッドがガイド孔に案内されることによってベースフレーム（収納凹部体）の防水扉基部側壁面から後退し、起立終期には起倒装置に押されることによって前進してパッキン部材に密着する。
【０００４】
特許文献３に記載のものでは、防水扉を回動支持機構で枢着しており、回動支持機構は、一端が防水扉の突部（枢支部）に、他端がピット側（収納凹部体側）に枢着される枢動リンクと揺動リンクとから構成され、防水扉の起立初期には、枢動リンクと揺動リンクとにより、防水扉の突部をピットの側壁部から遠ざけ、起立後期には、突部が起倒装置に押されることによって側壁部に近づき、防水扉がパッキン部材に密着する。特許文献４に記載のものでは、防水扉をヒンジ部で枢支しており、ヒンジ部は一端がピット側（収納凹部体側）に、他端が防水扉の被支持体（枢支部）に枢支される揺動可能なリンクプレートを備え、防水扉の起立初期には防水扉が後方へ揺動されているリンクプレートと防水扉との枢支部分で回転して防水扉とピットとの干渉を防止し、起立終期には防水扉が起倒装置に押されることによってリンクプレートを前方へ移動させ、防水扉がピットに近づいてパッキン部材に密着する。また、倒伏状態では、リンクプレートがストッパーに当接して防水扉の倒伏方向への回転が規制され、かかる状態で、リンクプレートの切欠部にピン体を係入して起立方向への回転を規制している。
【０００５】
【特許文献１】
特公平７−１１２１０号公報
【特許文献２】
特開平１０−１８６７８号公報
【特許文献３】
特開平１１−２５６９１３号公報
【特許文献４】
特開２００１−２５４５６３号公報
【０００６】
【発明が解決しようとする課題】
特許文献１〜４のものでは、ガイド孔やリンクによって、起立初期には、防水扉の枢支部が収納凹部体の防水扉基部側壁面から後方へ後退移動することで防水扉の基部と収納凹部体との干渉が避けられ、起立終期には起倒装置（扉開閉機構）に押されることでもって前進移動して防水扉がパッキン部材に密着して好ましい。しかしながら、特許文献１では、起立終期から起立位置にかけて屈曲ガイド溝孔の略水平方向に伸びる部分にガイドピンが位置するため、ガイドピンと屈曲ガイド溝孔とは前後方向に相対移動可能な状態であり、防水扉基部側の前進移動は防水扉に連結された起倒装置に依存し、起倒装置の防水扉の起立作用に追従して下部枢軸回りにリンクが揺動しガイドピンが屈曲ガイド溝孔に従って防水扉基部を前方へ移動するものであるので、防水扉の基部には起倒装置の押付力が大きく作用せず、防水扉の基部とパッキン部材の圧着力が小さく、水密性能を高くするため大きな圧着力を作用させるには大型の起倒装置が要求されることになる。特許文献２でも、特許文献１と同様に、起立終期から起立位置にかけてガイド孔の略水平方向に伸びる上側の部分にガイドロッドが位置するので、防水扉の基部とパッキン部材の圧着力が小さく、水密性能を高くするためには大型の起倒装置が要求される。
【０００７】
特許文献３、４においても、前進移動は防水扉に連結された起倒装置に依存し、起倒装置の押付力でもって防水扉の基部が前方へ移動するものであるので、防水扉の基部を大きな力で前進移動させることが困難で防水扉とパッキン部材の圧着力が小さくなり、大型の起倒装置が要求されることになる。また、特許文献１〜４では、起倒装置を防水扉の中央部に連結して防水扉の中央部分を押圧する必要があるので、防水扉を起立させるときに大きな力を必要とし、この点でも、大型の起倒装置を必要とする。しかも、特許文献１〜４では、起倒装置が防水扉の中心部から先端側へ外れた部分で防水扉を押圧する場合には、防水扉の枢支部が前後方向に移動可能であるから、起倒装置で防水扉を起立状態で強く押付けると、防水扉の枢支部が収納凹部体の側壁部から離れることになり、防水扉の基部側部分のパッキン部材への押圧力が弱まり水密性が低下する恐れがある。
本願の課題は、防水扉を収納凹部体と干渉することなく起倒でき、起立位置で防水扉の基部を確実にパッキン部材に圧着できる簡易な防水扉装置を提供することである。
【０００８】
【課題を解決するための手段】
前記課題解決のため本願発明では、構造物の水侵入可能な通路部下面に設置する収納凹部体と収納凹部体の開口を塞ぐ防水扉を備え、収納凹部体に防水扉の基部を枢着し、収納凹部体内に設けた起倒装置により防水扉を傾倒位置から起立位置に回動させ、起立状態の防水扉をパッキン部材に当接させ水侵入を防止するようにした防水扉装置において、防水扉の基部側下面に可動枢支部材を設け、収納凹部体の防水扉基部側位置に固定枢支部材を設け、可動枢支部材に枢支リンクの上部を上枢軸を介して連結し、その枢支リンクの下部を固定枢支部材に下枢軸を介して連結し、固定枢支部材と可動枢支部材の一方にカムピンを固着すると共に他方にそのカムピンが嵌合するカム溝を設け、そのカム溝の形状を防水扉起倒によりカムピンを案内して上枢軸を起立初期に防水扉先端側へ移動させ起立終期に防水扉基部側へ移動させて防水扉をパッキン部材に押圧するように設定した（請求項１）。これによれば、起立の際の収納凹部体との干渉を避けながら防水扉を収納凹部体の防水扉基部側壁面に近づけて配置でき、収納凹部体の開口を防水扉でほとんど隙間なく塞ぐことができる。また、防水扉が起立終期に防水扉基部側壁面に近づけるようにカムピンとカム溝の嵌合により押圧移動するようにしたのでパッキン部材に確実に圧着する。また、カムピンとカム溝の嵌合によって防水扉の起倒動作を利用して防水扉の基部を移動させるようにしたので、防水扉の基部を簡易な機構で安定して移動させることができ、性能を長期に亘って維持できると共にコストを低くできる。
【０００９】
前記固定枢支部材には上枢軸の防水扉先端側横方向位置にカムピンを固着し、可動枢支部材にはそのカムピンが嵌合するカム溝を設け、そのカム溝の形状を防水扉傾倒状態において上枢軸の下方向位置から横方向位置に向かって上枢軸に近づく略直線状に設定し、防水扉の起立によりカムピンを案内して上枢軸を起立初期に防水扉先端側へ移動させ起立終期に防水扉基部側へ移動させて防水扉をパッキン部材に押圧するようにした（請求項２）。これによれば、防水扉の傾倒状態及び起立状態における防水扉の前後方向移動をカムピンとカム溝の嵌合によって確実に阻止でき、防水扉の位置を確実に固定でき、また、カムピンとカム溝の嵌合によって防水扉の基部を移動させるので、防水扉の基部を移動させる機構を簡易且つ小型にできる。
【００１０】
前記可動枢支部材には上枢軸の下方位置にカムピンを固着し、固定枢支部材にはそのカムピンが嵌合するカム溝を設け、そのカム溝の形状を防水扉傾倒状態において上枢軸の下方位置から上枢軸の防水扉先端側横方向位置に向かって途中が上枢軸から遠ざかり最終部分で斜め上向きとなって上枢軸に徐々に近づく湾曲線状に設定し、防水扉の起立によりカムピンを案内して上枢軸を起立初期に防水扉先端側へ移動させ起立終期に防水扉基部側へ移動させて防水扉をパッキン部材に押圧するようにした（請求項３）。これによれば、防水扉の起倒の際にカムピンをカム溝によって緩やかに案内でき、防水扉を円滑に起倒させることができる。
【００１１】
【発明の実施の形態】
実施の形態について図面を参照して説明する。図１〜８に示す防水扉装置１は、建物や駐車場等の出入口の通路部の床面（下面）Ｆに埋設された収納凹部体２に防水扉３を配設し、その防水扉３を傾倒状態で収納凹部体２の開口を閉塞する傾倒位置（図２）と起立状態で前記出入口を閉塞する起立位置（図７）とに後述の起倒装置により傾倒可能となっている。前記収納凹部体２は上方を開口した箱型形状であって、出入口の床面Ｆに形成された収納凹部４に設置されている。収納凹部４は、大きな長方形状に形成された大凹部４ａと、大凹部４ａの後方側中央部に形成された小さな長方形状の小凹部４ｂとから構成されている。収納凹部４に沿って縁材５が取り付けられ、縁材５の下面を収納凹部体２の上端面２ａに当接させてある。収納凹部体２の前板２ｂ側（防水扉基部３ｂ側）にはパッキン部材６を備えた扉枠７が左、右に一対立設されている。また、収納凹部体２の前板２ｂには水平方向のパッキン部材８が取り付けてあり、そのパッキン部材８の両端を、扉枠７の垂直方向のパッキン部材６下端側と連続させてある。尚、パッキン部材６は、パッキン部材６と対応する防水扉３の基部３ｂ側両端部分に形成された切り欠き部を通過し、傾倒位置にある防水扉３と干渉しないようになっている。前記小凹部４ｂに設けた収納凹部体２の小収納体２Ｑには蓋部材９が開閉可能に備えてある。この収納凹部体２には図示しない配管が連結され、その配管を通って収納凹部体２内に侵入してきた水を排水するようにしてある。また、縁材５は収納凹部体２の各側板の一部を構成するもので、各側板（前板２ｂ等）を収納凹部４の上端まで延ばして縁材５を省略しても良い。
【００１２】
収納凹部体２の底板２ｄには、前板２ｂ側の左、右に夫々固定枢支部材１０が固定的に設置されている。各固定枢支部材１０は、取付ベース部１０ａに略三角形状の枢支部１０ｂを一体に立設した枢支ユニットを対向配置したものである。その枢支部１０ｂの前壁２ｂ側の下部には、上部１１ａが前後に揺動するように枢支リンク１１の下部１１ｂが下枢軸１２を介して連結されている。防水扉３は収納凹部体２の開口部分を塞ぐように形成されたものであって、その防水扉３の基部３ｂ下面には前記左右の固定枢支部材１０に対峙するように台形の可動枢支部材１３が突設され、枢支部１０ｂ，１０ｂの間に入り込んでいる。可動枢支部材１３に備えた上枢軸１４は前記枢支リンク１１の上部１１ａと可動枢支部材１３の前壁２ｂ側上隅部分とを枢着している。よって、防水扉３は枢支リンク１１を介して下枢軸１２を中心に前板２ｂの防水扉基部側壁面に対して前後方向に遠近移動すると共に、上枢軸１４を中心に防水扉３の先端部３ａが上下方向（起倒方向）に揺動するようになっている。また、固定枢支部材１０の頂部１０ｃには上枢軸１４の防水扉先端側横方向位置にカムピン３１が固着されている。このカムピン３１は、可動枢支部材１３に形成されたカム溝３２に嵌合されている。そのカム溝３２の形状は、防水扉３の傾倒状態において上枢軸１４の下方向位置から横方向位置に向かって上枢軸１４に近づく略直線状に設定されている。即ち、カム溝３２は、上枢軸１４の下方向位置から防水扉先端側横方向に向けて斜め上方に延びるように透設されている。そして、このカム溝３２はカムピン３１に対して相対的に案内移動され、上枢軸１４を中心にして防水扉３の先端部３ａが上方向へ揺動し始める起立初期には上枢軸１４を防水扉先端側へ移動させ、起立終期には防水扉基部側へ移動させて、防水扉３をパッキン部材６，８に押圧できるように設定されている。また、防水扉３の下方（傾倒方向）への揺動は、収納凹部体２の後板２ｃに固着された断面Ｌ字状の支持材１５によって規制されている。その断面Ｌ字状の支持材１５は、防水扉３が傾倒位置に位置し、防水扉３の先端部３ａが当接した時に、防水扉３の上面が床面Ｆと面一となるように取り付けられている。
【００１３】
次に、起倒装置について説明する。収納凹部体２の底板２ｄには、後板２ｃ側の中央部に駆動モータ１６が設置されている。駆動モータ１６の回転軸１６ａには、図３に示すようにウォーム部１７ａを備えた操作軸１７が連結されている。その操作軸１７のウォーム部１７ａと噛み合うウォームホイール１８ａを備えた回転軸１８が設けられている。操作軸１７の先端は小凹部４ｂに設けた小収納体２Ｑ内に突出しており、その先端には図示しない手動ハンドルで操作軸１７を回転可能な操作部１７ｂが設けられている。回転軸１８の両端にはカップリング部材１９を介して上記上枢軸１４と同方向の駆動軸２０の一端が連結されている。各駆動軸２０の他端は、底板２ｄの後板２ｃ側の左、右に夫々設置された第１ブラケット２１に支持されている。各駆動軸２０の他端側には、駆動軸２０を中心にして回動可能な２本の支持アーム２２の基部２２ｂが間隔をあけて取り付けられている。各支持アーム２２の先端部２２ａは防水扉３の基部３ｂに向くように設けられ、各先端部２２ａは中間軸２３によって連結されている。中間軸２３には、支持アーム２２間の部分に中間軸２３を中心にして回動可能な回動アーム２４の基部２４ｂが取り付けられている。その回動アーム２４の先端部２４ａは防水扉３の先端部３ａに向くように設けられ、先端部２４ａには長孔２５が形成されている。尚、本実施形態では、駆動モータ１６の駆動により駆動軸２０を回動させるようにしてあるが、停電等により駆動モータ１６が駆動しない時には、図示しない手動ハンドルによって駆動軸２０を回動させることができる。尚、駆動モータを備えていない手動ハンドルで駆動軸を回動させて防水扉を起倒するものにも適用できる。
【００１４】
防水扉３の先端方向の下面には、上記駆動軸２０と同方向のピン２６を備えた第２ブラケット２７が突設されている。そのピン２６が回動アーム２４の先端部２４ａに形成された長孔２５に係合されることで、回動アーム２４と防水扉３とが連結されている。尚、回動アーム２４の先端部２４ａにピンを設け、第２ブラケット２７にピンと係合する長孔を設けても良い。回動アーム２４には中間軸２３を中心とする回動車である第１チェーンホイール２８が固着されている。駆動軸２０には、支持アーム２２間の部分に駆動車である第２チェーンホイール２９が固着されている。第１チェーンホイール２８と第２チェーンホイール２９には帯状体である無端チェーン３０が懸回されている。よって、駆動軸２０の駆動により第２チェーンホイール２９が回動されると、無端チェーン３０、第１チェーンホイール２８を介して回動アーム２４が中間軸２３を中心に回動し、回動アーム２４の先端部２４ａに連結された防水扉３の先端部３ａを上下方向に揺動させることになる。更に、回動アーム２４の先端部２４ａが、上枢軸１４を中心に揺動する第２ブラケット２７の移動軌跡に沿って上下方向に移動することで、回動アーム２４が取り付けられた支持アーム２２の先端部２２ａが駆動軸２０を中心に上下方向に揺動されることになる。本実施形態では、回動アーム２４が支持アーム２２に対して略直線状となるように回動したときに、防水扉３が略垂直に起立するように回動アーム２４と支持アーム２２の長さＬ１，Ｌ２が設定されている（図７）。尚、回動車や駆動車をタイミングプーリで構成し、帯状体をタイミングベルトで構成しても良い。また、２ｅは、防水扉３が傾倒位置にあるとき支持アーム２２と当接するストッパーである。
【００１５】
次に、上記のように構成した防水扉装置１の作動について説明する。建物や駐車場等の出入口の床面Ｆに設置される防水扉装置１は、通常、防水扉３を収納凹部体２の開口を閉塞する傾倒位置としてある（図１の状態）。このとき防水扉３の基部３ｂ端面が前板２ｂに近づいて配置されており、収納凹部体２の開口を防水扉３が殆ど隙間なく塞いでいる。また、支持材１５を介して防水扉３の上面を床面Ｆと面一としてあるので、歩行者や自動車等の通行の障害となることがない。また、防水扉３が傾倒位置にあるとき、上枢軸１４の下方向位置から防水扉先端側横方向に向けて斜め上方に延びる（図２において右上がり傾斜する）カム溝３２の上端にカムピン３１が位置しており、防水扉３の上面に前後方向（横方向）の力が作用し防水扉３を移動しようとしてもカム溝３２の傾斜した内周面とカムピン３１の外周面との当接によって前後方向の移動が規制され、防水扉３の位置が確実に固定されている。
【００１６】
大雨によって建物や駐車場等の出入口に浸水が生じる恐れが発生した場合には起倒装置を起動し、駆動モータ１６により駆動軸２０を駆動して、第２チェーンホイール２９を図１の状態から逆回転（反時計回り）させると、無端チェーン３０、第１チェーンホイール２８を介して回動アーム２４の先端部２４ａが中間軸２３を中心に上方向に回転されるので、防水扉３の先端部３ａが上枢軸１４を中心に上方向に押し上げられ、防水扉３は上枢軸１４を中心として回転する。防水扉３が回転するとカム溝３２とカムピン３１とが接触角度を変えながら相対移動し、カム溝３２の下部分がカムピン３１に向けて摺動していくことで、図４、図５に示す起立初期のカム溝３２が右上がりに傾斜した状態では、カム溝３２と上枢軸１４の距離が徐々に短くなっていくので、上枢軸１４がカムピン３１側に移動されることになり枢支リンク１１が後板２ｃ側に揺動し、枢支リンク１１によって固定枢支部１０に連結された可動枢支部１３も下枢軸１２を中心として防水扉３の先端側に向けて前板２ｂから遠ざかるように揺動され、防水扉３の基部３ｂが前板２ｂから遠ざかる。回転アーム２４によって防水扉３の先端部３ａが上方向に押し上げられるに従って、支持アーム２２の先端部２２ａが駆動軸２０を中心に上方向に上昇する。この場合、回動アーム２４の先端部２４ａが防水扉３の中央部分より先端に近い防水扉３の先端部３ａに連結されているので、防水扉３を小さい力で起立させることができる。
【００１７】
更に第２チェーンホイール２９が回転し、図７に示す起立位置に向けて防水扉３が起立動作する起立終期では、回動アーム２４により防水扉３が立ち上がっていくことで、可動枢支部１３が上枢軸１４を中心として反時計回りに回転していきカム溝３２が右上がりに傾斜した状態から左上がりに傾斜した状態となり、カム溝３２の下部分がカムピン３１に向けて移動する（図６）。このときカム溝３２とカムピン３１とが相対的に摺動することで、上枢軸１４とカム溝３２との距離が徐々に長くなるため、上枢軸１４がカムピン３１から遠ざかる方向に移動することになり枢支リンク１１が前板２ｂ側に揺動し、枢支リンク１１の揺動によって可動枢支部材１３が下枢軸１２を中心として図６において反時計回りに揺動しながら前壁２ｂに近づきながら移動していき、防水扉３の基部３ｂが前壁２ｂに近づいていく。
【００１８】
その後、第２チェーンホイール２９の回転によって図７に示す起立位置まで防水扉８が移動すると、回動アーム２４が支持アーム２２に対して略直線状となり駆動モータ１６が停止される。起立位置において、防水扉２の上面は扉枠７のパッキン部材６と収納凹部体２のパッキン部材８とに回動アーム２４と支持アーム２２との伸張によって押し上げられ圧接した状態となるが、防水扉３上面の基部３ｂ側では、起倒動作によって上枢軸１４の横方向位置から上枢軸１４の上方向位置に斜め上方に延びるカム溝３２と上枢軸１４との距離が離れることで、基部３ｂが前壁２ｂへ向けて押付けられることになり（図８）、カムピン３１とカム溝３２の嵌合と起倒動作を利用して基部３ｂ側の上面がパッキン部材６，８に強く圧接されることになり、防水扉３の周縁がパッキン部材６，８に確実に圧着され、水密性能が良くなる。この起立した防水扉３によって出入口を閉塞することで、出入口からの浸水が防止されることになる。
【００１９】
このことから、カム溝３２とカムピン３１との嵌合によって防水扉３の起倒動作を利用して上枢軸１４を起立初期には防水扉先端側へ移動させ、起立終期には防水扉基部３ｂ側へ移動させるので、防水扉３を基部３ｂ端面と前壁２ｂとの干渉を避けて起倒動作できる。また、起立位置では、基部３ｂを前壁２ｂに向けて起倒動作を利用したカムピン３１とカム溝３２との嵌合によって押付けるので、基部３ｂをパッキン部材６，８に強く確実に圧着できる。そして、防水扉３と収納凹部体２との起倒時の干渉が避けられるので、防水扉３によって収納凹部体２の開口を閉塞する傾倒位置（図２の状態）で、防水扉３の基部３ｂと収納凹部体２の前板２ｂ又は収納凹部４の前側面との間を極めて近づけて配置でき、殆ど隙間なく塞げ、収納凹部４へのゴミの侵入等を防止できる。また、防水扉３によって再び収納凹部体２の開口を閉塞する場合には、駆動軸２０を図７の状態から正回転（時計回り）させることで、上記と逆に作動して防水扉３の先端部３ａが下方向へ移動して収納凹部体２の開口が閉塞される。
【００２０】
次に第２の実施の形態について図９、図１０により説明する。これは、前記実施の形態において、固定枢支部材１０にカム溝３３を設け、可動枢支部材１３にカムピン３４を設けたものであり、前記実施の形態と同一の部分には同一の符号を付けて説明を省略する。固定枢支部材１０のカム溝３３の形状は、図９に示す防水扉３の傾倒状態において上枢軸１４の下方位置から上枢軸１４の防水扉先端側横方向に向かって上向きに傾斜した傾斜部分３３ｂに形成され、連続して途中が上枢軸１４から徐々に遠ざかりながら上向きに湾曲し、続けて上枢軸１４の防水扉基部２ｂ側方向に向かって折り返し、最終部分３３ａで基部２ｂ側方向に斜め上向きとなって上枢軸１４に徐々に近づく湾曲線状に設定されている。このカム溝３３の最終部分３３ａは、上枢軸１４に徐々に近づくが前後方向の水平部分は形成されていない。可動枢支部材１３の下側頂部１３ａには、防水扉３の傾倒状態において上枢軸１４の下方位置にカムピン３４が固着されており、カムピン３４はカム溝３３に嵌合されている。防水扉３が傾倒位置にあるとき、カムピン３４はカム溝３３の上枢軸１４の下方位置部分（カム溝３３の下端部）に位置している。このときカムピン３４は、傾斜部分３３ｂによって防水扉先端側方向への移動が防止されており、防水扉３の防水扉先端側方向への移動が抑制されている。
【００２１】
防水扉３が立ち上げられると、防水扉３は上枢軸１４回りに回転する。カムピン３４がカム溝３３の下端部から折り返し部分までを移動する起立初期には、カムピン３４はカム溝３３に沿って前壁２ｂから遠ざかりながら移動し、カムピン３４と上枢軸１４との距離は一定なのでカムピン３４の移動に従って上枢軸１４が枢支リンク１１を介して下枢軸１２を中心として後板２ｃ側へ揺動しながら防水扉先端側に移動される。このため、防水扉３の基部３ｂ端は図９において反時計回りに回転しながら前壁２ｂから後壁２ｃに向けて徐々に離れていく。更に防水扉３が起立され、カムピン３４がカム溝３３に沿って前方に折り返して最終部分３３ａを移動する起立終期では、カムピン３４がカム溝３３によって前壁２ｂに向けて近づくように移動されるので、上枢軸１４も前板２ｂに向けて移動する。そして、防水扉３が起立位置まで移動すると、カムピン３４がカム溝３３の最終部分３３ａによって前壁２ｂに近づけられた状態となっているので（図１０）、基部３ｂがパッキン部材６，８に確実に強く圧着した状態となり、水密性能が良好となる。この防水扉３の起立状態では、カム溝３３の最終部分３３ａが前壁２ｂに向けて左上りの傾斜部分となっているので、浸水によって防水扉３の上面側に圧力が作用した場合でも、カムピン３４の後壁２ｃ方向への移動がカム溝３３に妨げられる。また、カム溝３３が湾曲線状に形成されているので、カムピン３４を緩やかに案内でき、防水扉３を円滑に起倒できる。
【００２２】
【発明の効果】
請求項１の発明は、防水扉の基部側下面に可動枢支部材を設け、収納凹部体の防水扉基部側位置に固定枢支部材を設け、可動枢支部材に枢支リンクの上部を上枢軸を介して連結し、その枢支リンクの下部を固定枢支部材に下枢軸を介して連結し、固定枢支部材と可動枢支部材の一方にカムピンを固着すると共に他方にそのカムピンが嵌合するカム溝を設け、そのカム溝の形状を防水扉起倒によりカムピンを案内して上枢軸を起立初期に防水扉先端側へ移動させ起立終期に防水扉基部側へ移動させて防水扉をパッキン部材に押圧するように設定したので、防水扉を収納凹部体と干渉することなく起立させることができ、しかも、防水扉を収納凹部体の防水扉基部側壁面に近づけて配置でき、収納凹部体の開口を防水扉でほとんど隙間なく塞いで通路部下面を安全にかつきれいに利用できる。また、起立終期に防水扉の基部を収納凹部体の防水扉基部側壁面に近づけるようにしたので、起立状態の防水扉を収納凹部体の壁面に設けたパッキン部材に確実に圧着させることができ、防水扉の水密性能を良くできる。また、カムピンとカム溝の嵌合によって防水扉の起倒動作を利用して防水扉の基部を移動させるようにしたので、防水扉の基部を簡易な機構で安定して移動させることができ、性能を長期に亘って維持できると共にコストを低くできる。
【００２３】
請求項２の発明は、固定枢支部材には上枢軸の防水扉先端側横方向位置にカムピンを固着し、可動枢支部材にはそのカムピンが嵌合するカム溝を設け、そのカム溝の形状を防水扉傾倒状態において上枢軸の下方向位置から横方向位置に向かって上枢軸に近づく略直線状に設定し、防水扉の起立によりカムピンを案内して上枢軸を起立初期に防水扉先端側へ移動させ起立終期に防水扉基部側へ移動させて防水扉をパッキン部材に押圧するようにしたので、防水扉傾倒状態における防水扉の横方向移動をカムピンとカム溝の嵌合によって確実に阻止でき、防水扉の位置を確実に固定できて安全であり、また、カムピンとカム溝の嵌合によって防水扉の基部を移動させるので、防水扉の基部を移動させる機構を簡易且つ小型にできる。
【００２４】
請求項３の発明は、可動枢支部材には上枢軸の下方位置にカムピンを固着し、固定枢支部材にはそのカムピンが嵌合するカム溝を設け、そのカム溝の形状を防水扉傾倒状態において上枢軸の下方向位置から上枢軸の防水扉先端側横方向位置に向かって途中が上枢軸から遠ざかり最終部分で斜め上向きとなって上枢軸に徐々に近づく湾曲線状に設定し、防水扉の起立によりカムピンを案内して上枢軸を起立初期に防水扉先端側へ移動させ起立終期に防水扉基部側へ移動させて防水扉をパッキン部材に押圧するようにしたので、防水扉の起倒の際にカムピンをカム溝によって緩やかに案内でき、防水扉を円滑に起倒させることができる。
【図面の簡単な説明】
【図１】本発明の防水扉装置であって、防水扉の下面から下方を見た図である。
【図２】図１のＩＩ−ＩＩ線断面図である。
【図３】図１のＸ部拡大部分断面図である。
【図４】起立初期での防水扉の起立途中を示す説明図である。
【図５】起立初期での防水扉の起立途中を示す説明図である。
【図６】起立終期での防水扉の起立途中を示す説明図である。
【図７】防水扉の起立状態を示す説明図である。
【図８】起立位置でのカム溝とカムピンの嵌合を示す説明図である。
【図９】第２の実施の形態であり、傾倒位置でのカム溝とカムピンの嵌合を示す説明図である。
【図１０】第２の実施の形態であり、起立位置でのカム溝とカムピンの嵌合を示す説明図である。
【符号の説明】
１    防水扉装置
２    収納凹部体
３    防水扉
３ｂ  基部
６，８  パッキン部材
１０    固定枢支部材
１１    枢支リンク
１１ａ  上部
１１ｂ  下部
１２    下枢軸
１３    可動枢支部材
１４    上枢軸
３１，３４  カムピン
３２，３３  カム溝
３３ａ  最終部分
【図１】
2005002749.tif 000003
【図２】
2005002749.tif 000004
【図３】
2005002749.tif 000005
【図４】
2005002749.tif 000006
【図５】
2005002749.tif 000007
【図６】
2005002749.tif 000008
【図７】
2005002749.tif 000009
【図８】
2005002749.tif 000010
【図９】
2005002749.tif 000011
【図１０】
2005002749.tif 000012